(57)【要約】【課題】捕虫器において、電撃殺虫の場合に生じる電撃音のような大きな音を発生させることなく静かに殺虫し、殺虫に伴う音でユーザに不快感を与えないようにする。【解決手段】捕虫器１は、虫を誘引する誘引源２と、螺旋状に形成されたばね材３と、ばね材３を伸び縮みさせて、ばね材３の螺旋部３２のピッチを増減させる駆動部４と、これらを収容する筐体５とを備える。ばね材３は、筐体５に設けられた開口部５１と誘引源２との間に配置されている。ばね材３の螺旋部３２のピッチが増減されるので、螺旋部３２で虫Ｂ１を挟んで捕殺することができ、機械的に殺虫することができる。従って、電撃殺虫の場合に生じる電撃音のような大きな音を発生させることなく静かに殺虫することができる。【選択図】図１
2010142194.tif 000002
【特許請求の範囲】
【請求項１】
虫を誘引する誘引源と、前記誘引源を収容し、該誘引源により誘引される虫が通過する開口部を有する筐体と、を備えた捕虫器において、
前記筐体に収容され該筐体の開口部と前記誘引源との間に配置され、略螺旋状に形成されたばね材と、
前記ばね材の両端部の間隔を変化させて、該ばね材の略螺旋状の部位のピッチを増減させる駆動部と、を備えることを特徴とする捕虫器。
【請求項２】
前記ばね材は、ばね径が互いに異なる複数本のばね材で構成されることを特徴とする請求項１に記載の捕虫器。
【請求項３】
前記ばね材は、１本のばね材の略螺旋状の部位に互いに異なるばね径の形状を持たせたものであることを特徴とする請求項１に記載の捕虫器。
【請求項４】
前記ばね材は、略螺旋状の互いに向かい合う部位を平たい形状としたことを特徴とする請求項１乃至請求項３のいずれか一項に記載の捕虫器。
【発明の詳細な説明】
【技術分野】
【０００１】
本発明は、ハエ又は蚊等の飛翔性を有する虫を誘引して捕獲する捕虫器に関する。
【背景技術】
【０００２】
従来から、捕虫器の一種として、虫が誘引される紫外線を光源から放出し、その紫外線に誘引された虫に電撃を与えて、殺虫する電撃殺虫器が知られている（例えば、特許文献１参照）。しかしながら、電撃殺虫器においては、虫に電撃を与えるときに大きな電撃音がし、ユーザに不快感を与えることがある。
【特許文献１】特開２００２−５１６８１号公報
【発明の開示】
【発明が解決しようとする課題】
【０００３】
本発明は、上記の従来の問題を解決するためになされたものであり、電撃殺虫の場合に生じる電撃音のような大きな音を発生させることなく静かに殺虫することができ、殺虫に伴う音でユーザに不快感を与えることがない捕虫器を提供することを目的とする。
【課題を解決するための手段】
【０００４】
上記目的を達成するために請求項１の発明は、虫を誘引する誘引源と、前記誘引源を収容し、該誘引源により誘引される虫が通過する開口部を有する筐体と、を備えた捕虫器において、前記筐体に収容され該筐体の開口部と前記誘引源との間に配置され、略螺旋状に形成されたばね材と、前記ばね材の両端部の間隔を変化させて、該ばね材の略螺旋状の部位のピッチを増減させる駆動部と、を備えるものである。
【０００５】
請求項２の発明は、請求項１に記載の捕虫器において、前記ばね材は、ばね径が互いに異なる複数本のばね材で構成されるものである。
【０００６】
請求項３の発明は、請求項１に記載の捕虫器において、前記ばね材は、１本のばね材の略螺旋状の部位に互いに異なるばね径の形状を持たせたものである。
【０００７】
請求項４の発明は、請求項１乃至請求項３のいずれか一項に記載の捕虫器において、前記ばね材は、略螺旋状の互いに向かい合う部位を平たい形状としたものである。
【発明の効果】
【０００８】
請求項１の発明によれば、ばね材の略螺旋状の部位のピッチが増減されるので、その部位で虫を挟んで捕殺することができ、機械的に殺虫することができる。従って、電撃殺虫の場合に生じる電撃音のような大きな音が発生することはなく、静かに殺虫することができる。このため、殺虫に伴う音でユーザに不快感を与えることはない。
【０００９】
請求項２又は請求項３の発明によれば、ばね材は互いに異なるばね径の形状を持つので、ばね材が伸びた状態で略螺旋状の部位のピッチが互い異なる形状をばね材に持たせることができる。このため、大きさが異なる虫を効率よく捕殺することができる。
【００１０】
請求項４の発明によれば、ばね材が縮んだときに、ばね材の略螺旋状の互いに向かい合う部分を面接触させることができるので、虫を挟み易くなり、従って、捕虫率を高めることができる。
【発明を実施するための最良の形態】
【００１１】
以下、本発明の一実施形態に係る捕虫器について図面を参照して説明する。図１（ａ）（ｂ）は、第１の実施形態に係る捕虫器の構成を示す。この捕虫器１は、ハエ又は蚊等の飛翔性を持つ虫Ｂ１を殺傷するためのものであり、建物の屋内又は屋外の壁等に設置される。捕虫器１は、虫Ｂ１を誘引する誘引源２と、略螺旋状に形成され、伸び縮みして虫Ｂ１を挟むばね材３と、ばね材３を伸び縮みさせる駆動部４と、これらを収容する横長の略直方体状の筐体５とを備える。筐体５は、誘引源２により誘引される虫Ｂ１が通過する開口部５１を筐体５の前面５ａに有する。筐体５の下部には、ばね材３に挟まれて殺傷され又は弱って落ちた虫Ｂ１を回収する捕獲用箱５２が着脱自在に設けられている。
【００１２】
誘引源２は、誘虫効果を有する紫外線を放出する紫外線誘虫ランプ２１（以下、ランプ２１と略記）で構成される。ランプ２１は、例えば直管状であり、筐体５と略平行に配置されている。ランプ２１は、誘虫効果を高めるため、虫Ｂ１の走光曲線又は視感度曲線に基づき、例えば略３４０〜３８０［ｎｍ］の波長帯域内にピークを有する。ランプ２１の種類としては、例えば、水銀灯、メタルハライドランプ又はキセノンランプ等のＨＩＤランプが挙げられる。ランプ２１はその両端が着脱自在にソケット２２に保持されており、ソケット２２は、ランプ２１内の放電を安定させる安定器２３と接続されている。安定器２３は、商用電源から電源供給される端子台２４に接続されている。ソケット２２、安定器２３、端子台２４、及び商用電源の夫々は電気配線２５により繋がれている。
【００１３】
ばね材３は、ランプ２１の周辺に平行に並置された複数本のばね材３ａ〜３ｄで構成され、これらばね材３ａ〜３ｄのうちの少なくとも１本は、筐体５の開口部５１とランプ２１との間に配置されている。ばね材３は、各本毎に、ばね線３１を略螺旋状に巻いて成る螺旋部３２を有する。螺旋部３２の径、すなわち、ばね径は互いに略同じであり、例えば略１〜４０［ｍｍ］程度が望ましい。各ばね線３１の断面形状は略円状である。ばね材３が自由状態、すなわち、無荷重状態であるとき、螺旋部３２の隣り合うばね線３１は当接している。ばね材３の材質は特に限定されず、例えば金属又は樹脂とする。ばね材３の数は図示の４本に限定されず、複数本であればよい。
【００１４】
ばね材３の一端部には、金属又は磁石等で形成された略板状のばね固定部３３が、それぞれに設けられたフック３４、３５により係合されている。ばね固定部３３の上端及び下端には、それぞれ、ころ３６が２個ずつ取り付けられている。ころ３６は、それぞれ、ばね材３の伸縮方向と平行に設けられたレール６上を移動し、ばね固定部３３のレール６に沿った移動を可能にする。ばね材３の他端部は、筐体５内に設けられ筐体５に固定された不図示の固定部材にフック等により固定されている。
【００１５】
駆動部４は、鉄心の周囲に巻いたコイルの励磁作用により鉄心にばね固定部３３を吸引する電磁マグネット４１と、電磁マグネット４１による吸引動作を制御するマイクロコンピュータ４２（以下、マイコン４２と略記）とを備える。電磁マグネット４１は、例えば略１〜４０［Ｈｚ］のサイクルでもって、ばね固定部３３の吸引と吸引停止とを繰り返し、ばね固定部３３を往復運動させる。
【００１６】
次に、捕虫器１の動作について図２（ａ）（ｂ）を参照して説明する。電磁マグネット４１により、ばね固定部３３が吸引されていないとき、図２（ａ）に示すように、ばね材３は、その付勢力により縮んでいる。この状態では、ばね材３は自由状態であり、ばね材３の略螺旋状の部位のピッチ、すなわち、螺旋部３２のピッチは略ゼロであり、螺旋部３２の隣り合うばね線３１は互いに当接している。ばね固定部３３が電磁マグネット４１により吸引されたときには、図２（ｂ）に示すように、ばね固定部３３はレール６に沿って、ころ３６により、電磁マグネット４１方向に移動する。ばね材３のばね固定部３３が固定された端部とは逆の端部は、筐体５に固定された固定部材５３とフック３７で係合されているので、ばね固定部３３の移動により、ばね材３はばね固定部３３に引っ張られて伸び、ばね材３の両端部の間隔が変化し、螺旋部３２のピッチが長くなる。このような螺旋部３２のピッチの増減が繰り返される。
【００１７】
上記のように動作する本実施形態の捕虫器１においては、虫Ｂ１が誘引源２により誘引され、図３（ａ）に示すようにばね材３が伸びているときに虫Ｂ１がばね材３の螺旋部３２に留まり、虫Ｂ１が留まった状態で、図３（ｂ）に示すようにばね材３が縮んだ場合、螺旋部３２のばね線３１で虫Ｂ１を挟んで捕殺することができる。従って、機械的に殺虫することができ、従来のような電撃殺虫の場合に生じる電撃音のような大きな音を発生させることなく静かに殺虫することができる。このため、殺虫に伴う音でユーザに不快感を与えることはない。
【００１８】
また、虫Ｂ１を挟んで捕殺することができるので、電撃殺虫の場合に生じる虫Ｂ１の飛び散りを防ぐことができる。また、捕虫器が粘着式である場合、粘着部が、付着した虫でいっぱいになって、それ以上捕虫することができなくなり、殺虫数が制限されることが生じ得るが、本実施形態の捕虫器１は、そのような捕虫器とは異なり、殺虫数が制限されることはなく、大量殺虫が可能である。
【００１９】
次に、上記実施形態の各種変形例に係る捕虫器について図面を参照して説明する。
（第１の変形例）
図４（ａ）（ｂ）は、上記実施形態の第１の変形例に係る捕虫器１の構成を示す。図４（ａ）（ｂ）には、ばね材３ａ〜３ｄ（ばね材３ｂは不図示）が縮んだ状態と伸びた状態とをそれぞれ示す。本変形例の捕虫器１においては、ばね材３ａ〜３ｄのうちの少なくとも１本が、例えば、ばね材３ｃが、他と比べ、螺旋部３２の径が互いに異なる。本変形例においては、ばね材３（ばね材３ａ〜３ｄ）が有する複数の螺旋部３２は径が異なるので、ばね材３が伸びた状態で螺旋部３２のピッチを異ならせることができる。従って、大きさが異なる虫Ｂ１を効率よく捕殺することができる。
【００２０】
（第２の変形例）
図５（ａ）（ｂ）は、上記実施形態の第２の変形例に係る捕虫器１の構成を示す。図５（ａ）（ｂ）には、ばね材３ａ〜３ｄ（ばね材３ｂは不図示）が縮んだ状態と伸びた状態とをそれぞれ示す。本変形例の捕虫器１においては、ばね材３ａ〜３ｄの各々は、１本のばね材に、互いに径が異なる２種の螺旋部３２ａ、３２ｂを持たせたものである。螺旋部３２の種類数は上記に限定されない。本変形例においても、上記第１の変形例と同等の作用効果を得ることができる。
【００２１】
（第３の変形例）
図６は、上記実施形態の第３の変形例に係る捕虫器１のばね材３を示す。本変形例のばね材３は、螺旋部３２の互いに向かい合う部位を平たい形状としている。本変形例においては、ばね材３が縮んだときに、螺旋部３２の互いに向かい合う部分を面接触させることができる。このため、虫Ｂ１を挟み易くなり、従って、捕虫率を高めることができる。
【００２２】
なお、本発明は、上記実施形態の構成に限定されるものでなく、使用目的に応じ、様々な変形が可能である。例えば、誘引源２は、誘虫効果を有するものであれば特に限定されず、ＵＶ−ＬＥＤ、又は誘虫性が有る匂いを発する匂い発生源で構成されていても構わない。誘引源２が匂い発生源を構成する場合、その匂い発生源には、虫を誘う糖質等を含有した物質を設ける。また、駆動部４は、カムとクランクとにより、ばね固定部３３を往復運動させる機械的な機構で構成されていてもよい。
【図面の簡単な説明】
【００２３】
【図１】（ａ）は本発明の一実施形態に係る捕虫器の斜視図、（ｂ）はその断面図。
【図２】（ａ）は上記捕虫器のばね材が縮んだ状態を示す正面図、（ｂ）は同ばね材が伸びた状態を示す正面図。
【図３】（ａ）（ｂ）は上記捕虫器による作用を説明するための図。
【図４】（ａ）は上記実施形態の第１の変形例に係るばね材が縮んだ状態を示す正面図、（ｂ）は同ばね材が伸びた状態を示す正面図。
【図５】（ａ）は上記実施形態の第２の変形例に係るばね材が縮んだ状態を示す正面図、（ｂ）は同ばね材が伸びた状態を示す正面図。
【図６】上記実施形態の第３の変形例に係るばね材を示す斜視図。
【符号の説明】
【００２４】
１  捕虫器
２  誘引源
３  ばね材
４  駆動部
５  筐体
５１  開口部
【図１】
2010142194.tif 000003
【図２】
2010142194.tif 000004
【図３】
2010142194.tif 000005
【図４】
2010142194.tif 000006
【図５】
2010142194.tif 000007
【図６】
2010142194.tif 000008